(57)【要約】  成形体製造装置は、成形材料が充填される上下方向に開口するキャビティを備える成形型と、キャビティ内にその下端側から挿入される下パンチ面と、下パンチ面に対して下側に設けられ、離型剤を保持し得る下パンチ離型剤保持部とを備える上下方向に移動可能な下パンチと、キャビティ内にその上端側から挿入される上パンチ面を備える上下方向に移動可能な上パンチと、下パンチ離型剤保持部がキャビティの外側に露出したときに、下パンチ離型剤保持部に離型剤を供給する下型離型剤塗布機構とを有する。そのため、キャビティの内周面に対する成形材料の付着または固着を防止することができる。
2011024567.tif 000002
【特許請求の範囲】
【請求項１】
成形材料を圧縮成形することにより成形体を製造する成形体製造装置であって、
前記成形材料が充填される上下方向に開口するキャビティを備える成形型と、
前記キャビティ内にその下端側から挿入される下パンチ面と、該下パンチ面に対して下側に設けられ、離型剤を保持し得る下パンチ離型剤保持部とを備える上下方向に移動可能な下パンチと、
前記キャビティ内にその上端側から挿入される上パンチ面を備える上下方向に移動可能な上パンチと、
前記下パンチ離型剤保持部が前記キャビティの外側に露出したときに、前記下パンチ離型剤保持部に離型剤を供給する下パンチ離型剤供給手段とを有することを特徴とする成形体製造装置。
【請求項２】
前記下パンチ離型剤保持部は、前記下パンチの移動に伴って前記キャビティ内を移動することにより、保持した離型剤を前記キャビティの内周面に転写する請求項１に記載の成形体製造装置。
【請求項３】
前記下パンチ離型剤供給手段は、前記下パンチ離型剤保持部が前記キャビティの下端から外側に露出したときに、前記下パンチ離型剤保持部に離型剤を供給する請求項１または２に記載の成形体製造装置。
【請求項４】
前記下パンチ離型剤供給手段は、前記下パンチ離型剤保持部が前記キャビティの上端から外側に露出したときに、前記下パンチ離型剤保持部に離型剤を供給する請求項１ないし３のいずれかに記載の成形体製造装置。
【請求項５】
前記下パンチ離型剤供給手段は、前記キャビティの外側に露出した前記下パンチ離型剤保持部に向けて前記離型剤を噴射する少なくとも１つのノズルを備えている請求項１ないし４のいずれかに記載の成形体製造装置。
【請求項６】
前記下パンチは、前記キャビティ内への前記成形材料の充填に先立ち、前記下パンチ離型剤保持部に前記離型剤が塗布された後に、前記下パンチ離型剤保持部の前記離型剤が塗布された領域の上端が前記キャビティの上端付近まで一時的に移動される請求項１ないし５のいずれかに記載の成形体製造装置。
【請求項７】
前記下パンチ離型剤保持部は、前記下パンチに形成された複数の凹部および／または凸部を備える請求項１ないし６のいずれかに記載の成形体製造装置。
【請求項８】
前記凹部は、前記下パンチの外周に沿って水平方向に延びる溝である請求項７に記載の成形体製造装置。
【請求項９】
前記上パンチに離型剤を塗布する機能を有する上パンチ離型剤供給手段を備える請求項１ないし８のいずれかに記載の成形体製造装置。
【請求項１０】
前記上パンチ離型剤供給手段は、前記上パンチ面および前記下パンチ面にそれぞれ離型剤を塗布する機能を有する請求項９に記載の成形体製造装置。
【請求項１１】
前記上パンチ離型剤供給手段は、前記下パンチ離型剤供給手段を兼ねる請求項９または１０に記載の成形体製造装置。
【請求項１２】
前記上パンチは、前記上パンチ面に対して上側に設けられ、離型剤を保持し得る上パンチ離型剤保持部を備え、
前記上パンチ離型剤供給手段は、前記上パンチ離型剤保持部に離型剤を供給する機能を有する請求項９ないし１１のいずれかに記載の成形体製造装置。
【請求項１３】
前記上パンチ面、前記下パンチ面および前記キャビティの内周面に塗布される離型剤の平均厚さは、それぞれ、０．００１〜５０μｍである請求項１ないし１２のいずれかに記載の成形体製造装置。
【請求項１４】
前記成形材料は、粉末状をなし、樹脂材料を含むものである請求項１ないし１３のいずれかに記載の成形体製造装置。
【請求項１５】
前記樹脂材料は、エポキシ系の樹脂材料である請求項１４に記載の成形体製造装置。
【請求項１６】
前記離型剤は、シリコーン系の離型剤を含む請求項１４または１５に記載の成形体製造装置。
【請求項１７】
請求項１ないし１６のいずれかに記載の成形体製造装置を用いて成形体を製造する成形体の製造方法であって、
前記下パンチ離型剤保持部を前記キャビティの外側に露出させた状態で、前記下パンチ離型剤保持部に離型剤を供給する下パンチ離型剤供給工程と、
前記下パンチ離型剤保持部に保持された離型剤を、前記下パンチの移動に伴って前記キャビティの内周面に転写する離型剤転写工程と、
前記キャビティ内に前記成形材料を充填する成形材料充填工程と、
前記キャビティ内に充填された前記成形材料を前記下パンチおよび前記上パンチで圧縮成形する圧縮成形工程とを有することを特徴とする成形体の製造方法。
【請求項１８】
請求項１ないし１６のいずれかに記載の成形体製造装置を用いて製造されたことを特徴とする成形体。
【発明の詳細な説明】
【技術分野】
【０００１】
本発明は、成形体製造装置、成形体の製造方法および成形体に関する。
【背景技術】
【０００２】
粉末状の成形材料を圧縮成形することにより成形体（圧粉体）を製造する成形体製造装置は、一般に、上下方向に開口する筒状のキャビティを備える成形型と、成形型の下側からキャビティ内に挿入される下パンチ面を備える下パンチと、成形型の上側からキャビティ内に挿入される上パンチ面を備える上パンチとを有している（例えば、特許文献１参照）。【０００３】
このような成形体製造装置では、例えば、上パンチをキャビティの上端開口面よりも上方に位置させるとともに、下パンチ面をキャビティ内にてその上端開口面よりも下方に位置させた状態で、下パンチ面上のキャビティ内に成形材料を供給し、その後、上パンチ面を下降させることにより、下パンチ面と上パンチ面とで成形材料を圧縮成形する。【０００４】
従来、このような成形体製造装置において、下パンチ面および上パンチ面に対する成形材料の付着または固着の防止等の目的から、上述したようなキャビティ内への成形材料の供給に先立って、下パンチ面および上パンチ面にそれぞれ離型剤を塗布することが行われている。【０００５】
従来では、特許文献１に開示されているように、上パンチをキャビティの上端開口面よりも上方に位置させるとともに、下パンチ面をキャビティ内にてその上端開口面に一致した状態で、下パンチと上パンチとの間にノズルをもたらし、そのノズルから上下に離型剤を噴霧することにより、下パンチ面および上パンチ面にそれぞれ離型剤を塗布する。【０００６】
しかしながら、特許文献１にかかる成形体製造装置では、離型剤を下パンチ面および上パンチ面のみにしか塗布することができないため、成形型のキャビティの内周面への成形材料の付着または固着を防止することができない。そのため、得られる成形体の品質不良が生じ、その結果、生産性の低下を招くと言う問題があった。このような問題は、付着性の高い成形材料を用いた場合や、圧縮成型時の圧縮率が高い場合等に特に顕著となる。
【先行技術文献】
【特許文献】
【０００７】
【特許文献１】国際公開第２００３／０３７５８９号
【発明の開示】
【０００８】
本発明の目的は、優れた生産性で高品質な成形体を得ることができる成形体の製造方法および成形体製造装置、および、高品質な成形体を提供することにある。
【０００９】
このような目的は、下記（１）〜（１８）に記載の本発明により達成される。
（１）  成形材料を圧縮成形することにより成形体を製造する成形体製造装置であって、
前記成形材料が充填される上下方向に開口するキャビティを備える成形型と、
前記キャビティ内にその下端側から挿入される下パンチ面と、該下パンチ面に対して下側に設けられ、離型剤を保持し得る下パンチ離型剤保持部とを備える上下方向に移動可能な下パンチと、
前記キャビティ内にその上端側から挿入される上パンチ面を備える上下方向に移動可能な上パンチと、
前記下パンチ離型剤保持部が前記キャビティの外側に露出したときに、前記下パンチ離型剤保持部に離型剤を供給する下パンチ離型剤供給手段とを有することを特徴とする成形体製造装置。
【００１０】
（２）  前記下パンチ離型剤保持部は、前記下パンチの移動に伴って前記キャビティ内を移動することにより、保持した離型剤を前記キャビティの内周面に転写する上記（１）に記載の成形体製造装置。
【００１１】
（３）  前記下パンチ離型剤供給手段は、前記下パンチ離型剤保持部が前記キャビティの下端から外側に露出したときに、前記下パンチ離型剤保持部に離型剤を供給する上記（１）または（２）に記載の成形体製造装置。
【００１２】
（４）  前記下パンチ離型剤供給手段は、前記下パンチ離型剤保持部が前記キャビティの上端から外側に露出したときに、前記下パンチ離型剤保持部に離型剤を供給する上記（１）ないし（３）のいずれかに記載の成形体製造装置。
【００１３】
（５）  前記下パンチ離型剤供給手段は、前記キャビティの外側に露出した前記下パンチ離型剤保持部に向けて前記離型剤を噴射する少なくとも１つのノズルを備えている上記（１）ないし（４）のいずれかに記載の成形体製造装置。
【００１４】
（６）  前記下パンチは、前記キャビティ内への前記成形材料の充填に先立ち、前記下パンチ離型剤保持部に前記離型剤が塗布された後に、前記下パンチ離型剤保持部の前記離型剤が塗布された領域の上端が前記キャビティの上端付近まで一時的に移動される上記（１）ないし（５）のいずれかに記載の成形体製造装置。
【００１５】
（７）  前記下パンチ離型剤保持部は、前記下パンチに形成された複数の凹部および／または凸部を備える上記（１）ないし（６）のいずれかに記載の成形体製造装置。
【００１６】
（８）  前記凹部は、前記下パンチの外周に沿って水平方向に延びる溝である上記（７）に記載の成形体製造装置。
【００１７】
（９）  前記上パンチに離型剤を塗布する機能を有する上パンチ離型剤供給手段を備える上記（１）ないし（８）のいずれかに記載の成形体製造装置。
【００１８】
（１０）  前記上パンチ離型剤供給手段は、前記上パンチ面および前記下パンチ面にそれぞれ離型剤を塗布する機能を有する上記（９）に記載の成形体製造装置。
【００１９】
（１１）  前記上パンチ離型剤供給手段は、前記下パンチ離型剤供給手段を兼ねる上記（９）または（１０）に記載の成形体製造装置。
【００２０】
（１２）  前記上パンチは、前記上パンチ面に対して上側に設けられ、離型剤を保持し得る上パンチ離型剤保持部を備え、
前記上パンチ離型剤供給手段は、前記上パンチ離型剤保持部に離型剤を供給する機能を有する上記（９）ないし（１１）のいずれかに記載の成形体製造装置。
【００２１】
（１３）  前記上パンチ面、前記下パンチ面および前記キャビティの内周面に塗布される離型剤の平均厚さは、それぞれ、０．００１〜５０μｍである上記（１）ないし（１２）のいずれかに記載の成形体製造装置。
【００２２】
（１４）  前記成形材料は、粉末状をなし、樹脂材料を含むものである上記（１）ないし（１３）のいずれかに記載の成形体製造装置。
【００２３】
（１５）  前記樹脂材料は、エポキシ系の樹脂材料である上記（１４）に記載の成形体製造装置。
【００２４】
（１６）  前記離型剤は、シリコーン系の離型剤を含む上記（１４）または（１５）に記載の成形体製造装置。
【００２５】
（１７）  上記（１）ないし（１６）のいずれかに記載の成形体製造装置を用いて成形体を製造する成形体の製造方法であって、
前記下パンチ離型剤保持部を前記キャビティの外側に露出させた状態で、前記下パンチ離型剤保持部に離型剤を供給する下パンチ離型剤供給工程と、
前記下パンチ離型剤保持部に保持された離型剤を、前記下パンチの移動に伴って前記キャビティの内周面に転写する離型剤転写工程と、
前記キャビティ内に前記成形材料を充填する成形材料充填工程と、
前記キャビティ内に充填された前記成形材料を前記下パンチおよび前記上パンチで圧縮成形する圧縮成形工程とを有することを特徴とする成形体の製造方法。
【００２６】
（１８）  上記（１）ないし（１６）のいずれかに記載の成形体製造装置を用いて製造されたことを特徴とする成形体。
【図面の簡単な説明】
【００２７】
【図１】図１は、本発明の第１実施形態にかかる成形体製造装置の全体構成を示す断面図である。
【図２】図２は、図１に示す成形体製造装置の周方向での展開図（断面図）である。
【図３】図３は、図１に示す成形体製造装置の部分拡大断面図である。
【図４】図４は、図１に示す成形体製造装置の部分拡大断面図である。
【図５】図５は、図１に示す成形体製造装置の動作を説明するための図である。
【図６】図６は、図１に示す成形体製造装置の動作を説明するための図である。
【図７】図７は、本発明の第２実施形態にかかる成形体製造装置の部分拡大断面図である。
【図８】図８は、本発明の第３実施形態にかかる成形体製造装置の部分拡大断面図である。
【発明を実施するための最良の形態】
【００２８】
以下、本発明の好適な実施形態を添付図面に基づいて説明する。
＜第１実施形態＞
まず、本発明の第１実施形態を説明する。【００２９】
図１は、本発明の第１実施形態にかかる成形体製造装置の全体構成を示す断面図、図２は、図１に示す成形体製造装置の周方向での展開図（断面図）、図３は、図１に示す成形体製造装置の部分拡大断面図（１２０°付近）、図４は、図１に示す成形体製造装置の部分拡大断面図（２５５°付近）、図５および図６は、図１に示す成形体製造装置の動作を説明するための図である。【００３０】
なお、本実施形態では、成形材料として半導体封止用の材料（粉末状の樹脂組成物）を用いた場合を代表的に説明するが、本発明は、これに限定されず、例えば、成形材料として、圧縮成形により成形体を得ることができるものであれば、各種無機材料、各種有機材料を含む組成物を用いることができる。【００３１】
図１に示す本実施形態の成形体製造装置１は、いわゆるロータリー式の成形体製造装置（打錠機）である。【００３２】
このような成形体製造装置１は、図１に示すように、フレーム２と、このフレーム２に支持されたＺ軸回りに回転可能なシャフト３と、このシャフト３に取り付けられた回転盤４とを有している。【００３３】
そして、回転盤４には、複数の成形型５と、複数の上型６と、複数の下型７とが取り付けられている。【００３４】
また、シャフト３の周囲には、図２に示すように、上型昇降機構８と、下型昇降機構９と、上型離型剤塗布機構１０と、取出ガイド１１と、成形材料供給機構１２と、下型離型剤塗布機構２０とがそれぞれフレーム２に対して固定的に（非回転に）設けられている。なお、図２では、後述するカム８２、９２の設置位置（すなわち後述する本圧を行う位置）を基準（０°）とし、軸線Ｚまわりの角度を示している。【００３５】
このような成形体製造装置１では、複数の成形型５、複数の上型６および複数の下型７が回転盤４とともにＺ軸回りに回転しながら、その回転盤４の回転に伴って、上型昇降機構８が各上型６を上下方向に移動させるとともに、下型昇降機構９が各下型７を上下方向に移動させる。【００３６】
一方、各成形型５は、その回転角度に応じて、選択的に、上型離型剤塗布機構１０による離型剤の塗布、下型離型剤塗布機構２０による離型剤の塗布、成形材料供給機構（図示せず）による成形材料の充填に供される。【００３７】
その際、各成形型５に対し、上型離型剤塗布機構１０による離型剤の塗布（離型剤塗布工程）、下型離型剤塗布機構２０による離型剤の塗布（離型剤塗布工程）および成形材料供給機構１２による成形材料の充填（成形材料充填工程）、成形型５内に充填された成形材料の上型６および下型７による圧縮成形（圧縮成形工程）、圧縮成形によって得られた成形体の下型７の上昇による成形型５外へ（上方へ）押し出し、押し出された成形体の取出ガイド１１による取出し（成形体取出工程）が順次繰り返し行われる。【００３８】
以下、このような成形体製造装置１を構成する各部を順次詳細に説明する。
シャフト３は、軸受３１、３２、３３を介してフレーム２に支持され、鉛直な軸線Ｚ回りに回転可能となっている。【００３９】
このようなシャフト３の下端部には、ウォームホイール３４が設けられている（固着されている）。このウォームホイール３４は、図示しない駆動機構により回転駆動されるウォーム３５に噛合している。【００４０】
また、シャフト３には、回転盤４が設けられている（固着されている）。
回転盤４は、複数の成形型５が固定されるステージ４１と、複数の上型６が上下方向に移動可能に保持される上型保持部４２と、複数の下型７が上下方向に移動可能に保持される下型保持部４３とを有している。【００４１】
ステージ４１には、複数の成形型５が上下方向に貫通するように設けられている。
複数の成形型５は、軸線Ｚに対する離間距離が互いに等しく（すなわち軸線Ｚを中心とする同一半径位置に設けられ）、かつ、軸線Ｚまわりの周方向に等間隔で設けられている。【００４２】
各成形型５は、上下方向に開口するキャビティ５１を備えている。
本実施形態では、キャビティ５１は、上下方向に延びる円柱形をなしている。すなわち、キャビティ５１の横断面が円形をなしているとともに、キャビティ５１の横断面積が上下方向での略全域で一定となっている。なお、キャビティ５１の横断面形状は、目的とする成形体の形状等によって決定されるものであり、円形状に限定されず、例えば、楕円形状、多角形状等であってもよい。また、キャビティ５１の横断面積は、局所的に拡大または縮小している部分を有していてもよい。【００４３】
このようなキャビティ５１の内部には、成形材料供給機構１２により成形材料が供給（充填）される。【００４４】
成形材料供給機構１２は、図示しないホッパから成形材料の供給を受ける凹部１２１を備える供給部１２２を有している。【００４５】
この供給部１２２は、軸線Ｚを中心として成形型５と同一半径位置で、かつ、軸線Ｚまわりの周方向での所定位置に設けられている。また、供給部１２２は、回転盤４のステージ４１の上面に対して摺動可能となっている。【００４６】
そして、凹部１２１は、下方に開口している。
このような成形材料供給機構１２では、凹部１２１の下方にキャビティ５１がもたらされたとき、凹部１２１内の成形材料がキャビティ５１内へ落下し充填される。【００４７】
成形材料としては、圧縮成形により成形体を得ることができるものであれば、特に限定されないが、例えば、半導体の封止に用いるタブレットを製造する場合、硬化性樹脂および硬化剤を含んで構成された成形材料（樹脂組成物）が用いられる。【００４８】
硬化性材料としては、例えば、フェノールノボラック樹脂、クレゾールノボラック樹脂、ビスフェノールＡ型ノボラック樹脂等のノボラック型フェノール樹脂、レゾール型フェノール樹脂等のフェノール樹脂、フェノールノボラック型エポキシ樹脂、クレゾールノボラック型エポキシ樹脂等のノボラック型エポキシ樹脂、ビスフェノールＡ型エポキシ樹脂、ビスフェノールＦ型エポキシ樹脂等のビスフェノール型エポキシ樹脂、ハイドロキノン型エポキシ樹脂、ビフェニル型エポキシ樹脂、スチルベン型エポキシ樹脂、トリフェノールメタン型エポキシ樹脂、アルキル変性トリフェノールメタン型エポキシ樹脂、トリアジン核含有エポキシ樹脂、ジシクロペンタジエン変性フェノール型エポキシ樹脂、ナフトール型エポキシ樹脂、ナフタレン型エポキシ樹脂、フェニレンおよび／またはビフェニレン骨格を有するフェノールアラルキル型エポキシ樹脂、フェニレンおよび／またはビフェニレン骨格を有するナフトールアラルキル型エポキシ樹脂等のアラルキル型エポキシ樹脂等のエポキシ樹脂、ユリア（尿素）樹脂、メラミン樹脂等のトリアジン環を有する樹脂、不飽和ポリエステル樹脂、ビスマレイミド樹脂、ポリウレタン樹脂、ジアリルフタレート樹脂、シリコーン樹脂、ベンゾオキサジン環を有する樹脂、シアネートエステル樹脂等が挙げられ、これらのうち１種を単独でまたは２種以上を組み合わせて用いることができるが、エポキシ樹脂が好適に用いられる。【００４９】
また、前記成形材料が粉末状をなすものである場合、成形体製造装置１は、成形体として圧粉体を得ることができる。また、前記成形材料が粉末状をなすものである場合や、成形する粉体の軟化温度が低い場合、前記樹脂材料がエポキシ系の樹脂材料を含むものである場合、成形材料は、圧縮成形に際し、後述する上パンチ面６２１、下パンチ面７２１およびキャビティ５１の内周面に固着しやすい。したがって、このような場合、本発明を適用することで、その効果が顕著となる。【００５０】
また、硬化剤としては、例えば、ジエチレントリアミン（ＤＥＴＡ）、トリエチレンテトラミン（ＴＥＴＡ）、メタキシレリレンジアミン（ＭＸＤＡ）などの脂肪族ポリアミン、ジアミノジフェニルメタン（ＤＤＭ）、ｍ−フェニレンジアミン（ＭＰＤＡ）、ジアミノジフェニルスルホン（ＤＤＳ）などの芳香族ポリアミンのほか、ジシアンジアミド（ＤＩＣＹ）、有機酸ジヒドララジドなどを含むポリアミン化合物等のアミン系硬化剤、ノボラック型フェノール樹脂、フェノールポリマー等のフェノール系硬化剤（フェノール性水酸基を有する硬化剤）、ヘキサヒドロ無水フタル酸（ＨＨＰＡ）、メチルテトラヒドロ無水フタル酸（ＭＴＨＰＡ）などの脂環族酸無水物（液状酸無水物）、無水トリメリット酸（ＴＭＡ）、無水ピロメリット酸（ＰＭＤＡ）、ベンゾフェノンテトラカルボン酸（ＢＴＤＡ）等の芳香族酸無水物等の酸無水物系硬化剤、ポリアミド樹脂、ポリスルフィド樹脂が挙げられ、これらのうち１種を単独でまたは２種以上を組み合わせて用いることができるが、特に、上記の硬化性樹脂としてエポキシ樹脂を用いる場合、フェノール系硬化剤（フェノール性水酸基を有する硬化剤）が好適に用いられる。【００５１】
なお、半導体の封止に用いるタブレットの成形材料には、上記の硬化性樹脂以外の樹脂や無機充填剤が含まれていてもよいし、硬化促進剤、カップリング剤、着色剤、難燃剤、低応力剤、酸化防止剤等の各種添加剤が含まれていてもよい。【００５２】
このような複数の成形型５が固定されるステージ４１の上側には、上型保持部４２が設けられている。【００５３】
上型保持部４２には、複数の上型６が上下方向に移動可能に設けられている。
複数の上型６は、前述した複数の成形型５に対応して設けられ、それぞれ、対応する成形型５のキャビティ５１内に上側から挿入し得るようになっている。【００５４】
すなわち、複数の上型６は、軸線Ｚに対する離間距離が前述した成形型５と軸線Ｚとの離間距離と同距離で互いに等しく（すなわち軸線Ｚを中心とする同一半径位置に設けられ）、かつ、前述した軸線Ｚまわりの周方向において複数の成形型５のピッチと同ピッチで等間隔に設けられている。【００５５】
図２に示すように、各上型６は、上型本体６１と、この上型本体６１に装着された上パンチ６２とで構成されている。【００５６】
上型本体６１は、上型保持部４２に対して上下方向に摺動可能に設けられている。
この上型本体６１の下部に上パンチ６２が装着されている。【００５７】
上パンチ６２は、その下端に設けられた上パンチ面６２１を備える（図３参照）。この上パンチ面６２１は、これに対応するキャビティ５１内にその上端側から挿入されるものである。【００５８】
このような複数の上型６が保持される上型保持部４２に対して前述したステージ４１を介して対向するように、下型保持部４３が設けられている。すなわち、ステージ４１の下側には、下型保持部４３が設けられている。【００５９】
下型保持部４３には、複数の下型７が上下方向に移動可能に設けられている。
複数の下型７は、前述した複数の成形型５に対応して設けられ、それぞれ、対応する成形型５のキャビティ５１内に下側から挿入し得るようになっている。【００６０】
すなわち、複数の下型７は、軸線Ｚに対する離間距離が前述した成形型５と軸線Ｚとの離間距離と同距離で互いに等しく（すなわち軸線Ｚを中心とする同一半径位置に設けられ）、かつ、前述した軸線Ｚまわりの周方向において複数の成形型５のピッチと同ピッチで等間隔で設けられている。【００６１】
図２に示すように、各下型７は、下型本体７１と、この下型本体７１に装着された下パンチ７２とで構成されている。【００６２】
下型本体７１は、円柱状をなし、下型保持部４３に対して上下方向に摺動可能に設けられている。【００６３】
この下型本体７１の上部に下パンチ７２が装着されている。
下パンチ７２は、その上端に設けられた下パンチ面７２１と、下型本体７１の側面に設けられた下パンチ離型剤保持部７２２を備える（図３参照）。【００６４】
この下パンチ面７２１は、これに対応するキャビティ５１内にその下端側から挿入されるものである。【００６５】
下パンチ離型剤保持部７２２は、下パンチ面７２１に対して下側（下型本体７１の上側部）に設けられ、離型剤Ｌを保持し得るものである。【００６６】
このような下パンチ離型剤保持部７２２は、複数の凹部７２３および複数の凸部７２４で構成されている。このような下パンチ離型剤保持部７２２は、下パンチ７２の移動（本実施形態では上昇）に伴ってキャビティ５１内を移動することにより、保持した離型剤Ｌをキャビティ５１の内周面に転写する。これにより、キャビティ５１の内周面に離型剤Ｌを塗布することができる。そのため、キャビティの内周面に対する成形材料の付着または固着を防止することができる。その結果、得られる成形体を高品位なものとすることができる。【００６７】
本実施形態では、各凹部７２３は、下パンチ７２の外周に沿って水平方向に延びる溝である。また、各凸部７２４は、凹部７２３同士の間に設けられ、下パンチ７２の外周に沿って水平方向に延びる凸条である。【００６８】
また、各凹部７２３（溝）の横断面は、矩形をなしている。なお、各凹部７２３の横断面形状は、これ限定されず、例えば、開口側から底部側へ幅が狭くなるような三角形状や半円状等をなすものであってもよい。【００６９】
このような下パンチ７２に形成された複数の凹部７２３および複数の凸部７２４を備える下パンチ離型剤保持部７２２は、比較的簡単な構成で、離型剤Ｌを保持することができ、また、必要時（具体的にはキャビティ５１内に挿入されたとき）には、保持した離型剤Ｌをキャビティ５１の内周面に効率よく転写させることができる。【００７０】
このような各上型６は、上型昇降機構８によって上下方向に移動可能であり、また、各下型７は、下型昇降機構９によって上下方向に移動可能である。【００７１】
上型昇降機構８は、ガイドレール８１と、カム８２、８３とを有している。
ガイドレール８１は、シャフト３の周囲に、周方向に沿って設けられている。【００７２】
このガイドレール８１は、前述した各上型６の上端部に係合し、その係合部の上下方向での位置が周方向で変化するように形成されている。したがって、ガイドレール８１は、回転盤４の回転に伴って、各上型６を上下方向に移動させる。【００７３】
カム８２、８３は、それぞれ、前述したガイドレール８１の端部または途中の所定位置に設けられている。【００７４】
このカム８２、８３は、それぞれ、上型６を下方に押圧する機能を有する。
下型昇降機構９は、ガイドレール９１と、カム９２、９３、９４とを有している。【００７５】
ガイドレール９１は、シャフト３の周囲に、周方向に沿って設けられている。
このガイドレール９１は、前述した各下型７の下端部に係合し、その係合部の上下方向での位置が周方向で変化するように形成されている。したがって、ガイドレール９１は、回転盤４の回転に伴って、各下型７を上下方向に移動させる。【００７６】
カム９２、９３、９４は、それぞれ、前述したガイドレール９１の端部または途中の所定位置に設けられている。【００７７】
このカム９２、９３、９４は、それぞれ、上型６を下方に押圧する機能を有する。特に、カム９２は、前述したカム８２に対応して（回転盤４を介して対向するように）設けられている。また、カム９３は、前述したカム８３に対応して（回転盤４を介して対向するように）設けられている。【００７８】
このように、カム８２およびカム９２が対をなし、また、カム８３およびカム９３が対をなしている。【００７９】
後に詳述するが、カム８３、９３は、上型６（上パンチ６２）および下型７（下パンチ７２）に対して成形型５のキャビティ５１内の成形材料を予備的に圧縮成形（予圧）する押圧力を付与するものである。また、カム８２、９２は、前記予圧後に、上型６（上パンチ６２）および下型７（下パンチ７２）に対して成形型５のキャビティ５１内の成形材料を最終的に圧縮成形（本圧）する押圧力を付与するものである。【００８０】
また、カム９４は、圧縮成形によって得られた成形体をキャビティ５１外へ押し出す押圧力を下型７（下パンチ７２）に対して付与するものである。【００８１】
このようなカム９４に対して後段側（図２にて右側）には、回転盤４のステージ４１上に、取出ガイド１１が設けられている。【００８２】
この取出ガイド１１は、フレーム２に対して固定的に設置され、前述したカム９４の押圧力によって成形型５上に押し出された成形体Ｍを回転盤４外の所定位置へ導くものである。【００８３】
このような取出ガイド１１に対して後段側（図２にて右側）には、上型離型剤塗布機構１０のノズル１０１が設けられている。【００８４】
ここで、図３に基づいて、上型離型剤塗布機構１０について詳細に説明する。
この上型離型剤塗布機構１０は、前述した上パンチ面６２１に向けて離型剤Ｌを噴射するとともに、下パンチ面７２１に向けて離型剤Ｌを噴射し得るものである。【００８５】
特に、この上型離型剤塗布機構（上パンチ離型剤供給手段）１０は、後に詳述するように、キャビティ５１内への成形材料の充填に先立ち、上パンチ面６２１、下パンチ面７２１およびキャビティ５１の内周面にそれぞれ離型剤Ｌを塗布するものである。【００８６】
具体的には、上型離型剤塗布機構１０は、上パンチ６２がキャビティ５１の上端開口面よりも上方に位置した状態で、上パンチ面６２１に向けて離型剤Ｌを噴射することにより、上パンチ面６２１に離型剤Ｌを塗布するとともに、下パンチ面７２１がキャビティ５１内にてその上端開口面よりも下方に位置した状態で、下パンチ面７２１に向けて離型剤Ｌを噴射することにより、下パンチ面７２１および下パンチ面７２１よりも上側に露出したキャビティ５１の内周面にそれぞれ離型剤を塗布するように構成されている。なお、上型離型剤塗布機構１０による離型剤噴射時における下パンチ面７２１の上下方向での位置は、上パンチ面６２１および下パンチ面７２１に対して離型剤を塗布することができれば、上記のものに限定されず、キャビティ５１の上端開口面と一致していてもよいし、キャビティ５１の上端開口面に対して上方に位置していてもよい。【００８７】
本実施形態では、上パンチ面６２１に向けての離型剤Ｌの噴射と、下パンチ面７２１に向けての離型剤Ｌの噴射とが同時に行われる。【００８８】
これにより、成形材料の圧縮成形に先立って、上パンチ面６２１、下パンチ面７２１およびキャビティ５１の内周面に対してそれぞれ離型剤Ｌを塗布することができる。そのため、上パンチ面６２１、下パンチ面７２１およびキャビティ５１の内周面に対する成形材料の付着または固着を防止することができる。その結果、得られる成形体にスジ、欠け等が発生するのを防止することができる。【００８９】
このような離型剤塗布機構（離型剤噴射手段）１０は、図３に示すように、ノズル１０１と、離型剤供給装置１０２とを備えている。【００９０】
ノズル１０１は、長尺状をなし、その先端部は、軸線Ｚを中心として成形型５と同一半径位置で、かつ、軸線Ｚまわりの周方向での所定位置にて、ステージ４１と上型保持部４２との間に臨むように設けられている。【００９１】
このノズル１０１の先端部には、上方に開口するノズル孔（上ノズル孔）１０３と、下方に開口するノズル孔（下ノズル孔）１０４とが設けられている。【００９２】
ノズル孔１０３は、上方に向けて離型剤を噴射（噴霧）するものであり、ノズル孔１０４は、ノズル孔１０３とは別体として設けられ、下方に向けて離型剤を噴射（噴霧）するものである。【００９３】
また、ノズル１０１内には、その長手方向に沿って、ノズル孔１０３、１０４にそれぞれ連通する流路が形成されている。当該流路は、離型剤が流通する流路であり、離型剤供給装置１０２に接続されている。【００９４】
本実施形態では、ノズル１０１は、図示しない調整機構を介してフレーム２に支持され、上下方向に移動可能であるとともに、姿勢を変更し得るようになっている。【００９５】
すなわち、上型離型剤塗布機構１０は、ノズル孔１０３、１０４が上下に移動可能であるとともに、ノズル孔１０３、１０４の姿勢を変更し得るように構成されている。【００９６】
ノズル孔１０３、１０４を上下に移動させることで、ノズル孔１０３と上パンチ面６２１との距離、および、ノズル孔１０４と下パンチ面７２１との距離をそれぞれ最適化して、上パンチ面６２１、下パンチ面７２１およびキャビティ５１の内周面に対してそれぞれ離型剤Ｌを塗布することができる。【００９７】
また、ノズル孔１０３、１０４の姿勢を変更することで、成形条件を変更した場合であっても、上パンチ面６２１、下パンチ面７２１およびキャビティ５１の内周面に対してそれぞれ離型剤Ｌを均一かつ確実に塗布することができる。【００９８】
離型剤供給装置１０２は、離型剤（離型剤溶液）をノズル１０１に供給するものである。この離型剤供給装置１０２は、ノズル１０１の各ノズル孔１０３、１０４から離型剤を噴射し得るものであれば、特に限定されないが、例えば、離型剤を収納するタンクと、このタンク内の離型剤を加圧しつつノズル１０１に供給するポンプと、このポンプの加圧力を調整する弁等の調整機構とを含んで構成することができる。【００９９】
離型剤としては、用いる成形材料に応じて決定されるものであり、成形材料に対して離型性を発揮し得るものであれば、特に限定されないが、例えば、オルガノポリシロキサン等のシリコーン系離型剤、ポリテトラフルオロエチレン等のフッ素系離型剤、ポリビニルアルコール等のアルコール系離型剤、パラフィン、高級脂肪酸、高級脂肪酸金属塩、エステル系ワックス、ポリオレフィン系ワックス、ポリエチレン、酸化ポリエチレン等のワックス類等が挙げられ、これらのうち１種を単独でまたは２種以上を組み合わせて用いることができる。【０１００】
中でも、離型剤としては、シリコーン系離型剤を用いるのが好ましく、特に、カルボキシル変性ジメチルポリシロキサンを用いるのが好ましい。このような離型剤は、成形材料に対する離型性に優れている。したがって、上パンチ面６２１、下パンチ面７２１およびキャビティ５１の内周面に対する成形材料の固着または付着をより確実に防止することができる。また、得られる成形体へ影響を及ぼしにくいと言う利点がある。【０１０１】
このような離型剤の性状は、特に限定されるものではなく、例えば、低粘度の液体、高粘度の液体又は粉末状の固体が使用可能である。また、このような離型剤は、液体状のものをそのまま、あるいは、液体状又は固体状のものを、溶剤を用いて希釈又は溶解させて用いることができる。【０１０２】
このような溶剤としては、離型剤を溶解できるものであれば、特に限定されず、例えば、ヘキサン、ペンタン、ハイドロフルオロエーテル、デカフルオロペンタン等の一般的な溶剤を用いることができる。中でも、溶剤としては、ペンタン（より具体的には、ｎ−ペンタン）を用いるのが好ましい。ペンタンはシリコーン系離型剤との相溶性に優れることから、ペンタンにシリコーン系離型剤を溶解した離型剤（離型剤溶液）を用いた場合、離型剤を均一に希釈、噴霧することができる。また、ペンタンは極めて揮発性が高いことから、離型剤溶液中の溶媒が離型剤溶液の噴霧後に速やかに揮発するので、溶媒が製品（成形体）へ混入するのを防止することができる。【０１０３】
離型剤が、ウベローデ粘度計により測定した２５℃における動粘度が３×１０−３ｍ２／ｓ以上である高粘度の液体又は粉末状の固体の場合は、溶剤に溶解した（離型剤溶液とした）状態で用いることが好ましい。この場合、離型剤と溶剤との使用割合は、離型剤が溶剤に溶解していれば、特に限定されないが、溶剤に対して離型剤が０．０１〜１０重量％が好ましく、０．０５〜５重量％がより好ましく、０．１〜３重量％がさらに好ましい。これにより、スプレー等での噴霧が容易となり、離型剤を薄くかつ均一に塗布することができる。また、離型剤が、ウベローデ粘度計により測定した２５℃における動粘度が３×１０−３ｍ２／ｓ未満の低粘度の液体の場合は、離型剤をそのまま用いることができるが、必要に応じて溶剤に溶解した（離型剤溶液とした）状態で用いることもできる。この場合、離型剤と溶剤との使用割合は、離型剤が溶剤に溶解していれば、特に限定されないが、溶剤に対して離型剤が０．１〜５０重量％が好ましく、１〜２０重量％がより好ましい。これにより、離型剤を薄くかつ均一に塗布することができるとともに、溶剤の使用量を抑えることができる。【０１０４】
このような下型離型剤塗布機構２０のノズル１０１に対して後段側（図２にて右側）には、下型離型剤塗布機構２０のノズル２０１、２０２が設けられている。【０１０５】
ここで、図４に基づいて、下型離型剤塗布機構２０について詳細に説明する。
この下型離型剤塗布機構２０は、前述した下パンチ離型剤保持部７２２がキャビティ５１の外側に露出したときに、下パンチ離型剤保持部７２２に離型剤Ｌを供給するものである。【０１０６】
このような下型離型剤塗布機構（下パンチ離型剤供給手段）２０は、図４に示すように、ノズル２０１、２０２と、離型剤供給装置２０５とを備えている。【０１０７】
ノズル２０１、２０２は、所定の回転角度（本実施形態では２５５°）となった下パンチ７２を介して互いに対応するように設けられている。【０１０８】
このノズル２０１の先端部（先端面）には、ノズル孔２０３が設けられ、また、ノズル２０２の先端部（先端面）には、ノズル孔２０４とが設けられている。【０１０９】
ノズル孔２０３、２０４は、それぞれ、離型剤を噴射（噴霧）するものである。
また、ノズル２０１内には、その長手方向に沿って、ノズル孔２０３に連通する流路が形成され、また、ノズル２０２内には、その長手方向に沿って、ノズル孔２０４に連通する流路が形成されている。これらの流路は、それぞれ、離型剤が流通する流路であり、離型剤供給装置２０５に接続されている。【０１１０】
なお、ノズル２０１、２０２は、それぞれ、前述したノズル１０１、１０２と同様、上下に移動可能であるとともに、姿勢を変更し得るように構成されていてもよい。【０１１１】
離型剤供給装置２０５は、前述した離型剤供給装置１０２と同様の構成とすることができる。また、前述した離型剤供給装置１０２が離型剤供給装置２０５を兼ねていてもよい。【０１１２】
また、下型離型剤塗布機構２０に用いる離型剤としては、前述した上型離型剤塗布機構１０に用いる離型剤と同様のものを用いることができる。【０１１３】
このような下型離型剤塗布機構２０は、図４に示すように、下パンチ離型剤保持部７２２がキャビティ５１の下端から外側に露出したときに、下パンチ離型剤保持部７２２に離型剤Ｌを供給する。このような下型離型剤塗布機構２０は、その構成を簡単かつ小型なものとしつつ、キャビティ５１の内周面に離型剤Ｌを塗布することができる。【０１１４】
下パンチ離型剤保持部７２２に離型剤Ｌが塗布された下パンチ７２は、後に詳述するように、キャビティ５１内への成形材料の充填に先立ち、下パンチ離型剤保持部７２２の上端がキャビティ５１の上端付近まで一時的に移動される。【０１１５】
これにより、キャビティ５１内への成形材料の充填に先立って、キャビティ５１の内周面に離型剤Ｌを塗布することができる。そのため、キャビティ５１の内周面に対する成形材料の付着または固着を防止することができる。その結果、得られる成形体を高品位なものとすることができる。【０１１６】
次に、前述したように構成された成形体製造装置１を用いて成形体を製造する場合を一例として、本発明の成形体の製造方法について説明する。【０１１７】
成形体製造装置１では、各成形型５は、これに対応する上パンチ６２および下パンチ７２とともに回転盤４のＺ軸回りの回転に伴って回転し、その回転角度に応じて、離型剤塗布工程、成形材料充填工程、圧縮成形工程、成形体取出工程が順次行われる。【０１１８】
すなわち、成形体製造装置１を用いた成形体の製造方法は、［１］離型剤塗布工程（上パンチ離型剤供給工程）と、［２］成形材料充填工程と、［３］圧縮成形工程と、［４］成形体取出工程とを有する。【０１１９】
本実施形態では、工程［２］において、前述した下パンチ離型剤保持部７２２に対して離型剤を供給し（下パンチ離型剤供給工程）、工程［４］において、下パンチ離型剤保持部７２２に保持された離型剤をキャビティ５１の内周面に転写し（転写工程）、上記の工程［１］〜［４］をこの順で繰り返し行う。【０１２０】
すなわち、成形体製造装置１を用いた成形体の製造方法は、上記の工程［１］〜［４］の繰り返しにおいて、［Ａ］下パンチ離型剤供給工程（前回またはそれ以前の工程［２］）と、［Ｂ］離型剤転写工程（前回またはそれ以前の工程［４］）と、［Ｃ］成形材料充填工程（工程［２］）と、［Ｄ］圧縮成形工程（工程［３］）とを有する。【０１２１】
以下、各工程について順次詳細に説明する。
［１］離型剤塗布工程（上パンチ離型剤供給工程）
まず、図５（ａ）に示すように、上パンチ面６２１、下パンチ面７２１およびキャビティ５１の内周面５１１に離型剤Ｌを塗布する。【０１２２】
このとき、成形型５、上パンチ６２および下パンチ７２の軸線Ｚまわりの回転角度は、１２０°である。【０１２３】
また、上パンチ６２の上パンチ面６２１は、上型昇降機構８のガイドレール８１の作用により、成形型５の上端開口面よりも上方に位置している（離間している）。また、下パンチ面７２１の下パンチ面７２１は、下型昇降機構９のガイドレール９１の作用により、成形型５内にてその上端開口面よりも下方に位置している。【０１２４】
また、ノズル１０１の先端部が上パンチ面６２１と下パンチ面７２１との間に臨むようにもたらされている。【０１２５】
このような成形型５、上パンチ６２、下パンチ７２およびノズル１０１の配置のもとで、ノズル１０１のノズル孔１０３から上方に（上パンチ面６２１に向けて）離型剤が噴射されるとともにノズル孔１０３から下方に（下パンチ面７２１に向けて）離型剤が噴射される。【０１２６】
これにより、ノズル１０１のノズル孔１０３から噴射された離型剤は、上パンチ面６２１に塗布される。また、上述したように、下パンチ面７２１の下パンチ面７２１は成形型５内にてその上端開口面よりも下方に位置しているので、ノズル孔１０３から噴射された離型剤は、下パンチ面７２１だけでなく、成形型５のキャビティ５１の内周面５１１のうち、下パンチ面７２１よりも上方に露出した部分に塗布される。【０１２７】
本工程において、上型離型剤塗布機構１０による離型剤Ｌの噴射時における下パンチ面７２１とキャビティ５１の上端開口面との間の距離をＡとし、上パンチ面６２１および下パンチ面７２１によるキャビティ５１内の成形材料ｍの圧縮成型時（後述する工程［３］の本圧時）における下パンチ面７２１とキャビティ５１の上端開口面との間の距離をＢとしたとき、Ａ／Ｂは、０．５〜１．５であるのが好ましく、０．７〜１．２であるのがより好ましい。これにより、後述する工程［３］後に、キャビティ５１の内周面に成形材料ｍが付着または固着するのをより確実に防止することができる。【０１２８】
また、キャビティ５１内への成形材料ｍの充填時（後述する工程［２］の分量時）における下パンチ面７２１とキャビティ５１の上端開口面との間の距離をＣとしたとき、Ａ／Ｃは、０．４〜１．２であるのが好ましく、０．５〜１．０であるのがより好ましい。これにより、後述する工程［２］でキャビティ５１の内周面のうちの成形材料ｍが接する部分に、離型剤Ｌを塗布することができる。【０１２９】
また、上パンチ面６２１、下パンチ面７２１およびキャビティ５１の内周面５１１に塗布される離型剤Ｌの厚さ（平均厚さ）は、それぞれ、特に限定されないが、０．００１〜５０μｍであるのが好ましく、０．０１〜５０μｍであるのがより好ましく、０．０５〜１０μｍであるのがさらに好ましい。これにより、最終的に得られる成形体Ｍに対する離型剤Ｌの悪影響を防止しつつ、上パンチ面６２１、下パンチ面７２１およびキャビティ５１の内周面５１１に対する成形材料ｍの付着または固着を防止することができる。なお、かかる離型剤Ｌ（離型剤Ｌによる層）の厚さは、各種厚さ測定装置を用いて実測することもできるし、上パンチ面６２１、下パンチ面７２１およびキャビティ５１の内周面５１１の表面積、離型剤Ｌの溶剤希釈率および供給量から算出することもできる。【０１３０】
［２］成形材料充填工程（［Ｃ］成形材料充填工程）
次に、キャビティ５１内に成形材料ｍが充填される。【０１３１】
より具体的には、まず、図５（ｂ）に示すように、キャビティ５１内への成形材料ｍの充填が開始される。【０１３２】
このとき、成形型５、上パンチ６２および下パンチ７２の軸線Ｚまわりの回転角度は、１８０°である。【０１３３】
また、上パンチ６２の上パンチ面６２１は、上型昇降機構８のガイドレール８１の作用により、成形型５の上端開口面よりも上方に位置している（離間している）。また、下パンチ面７２１の下パンチ面７２１は、下型昇降機構９のガイドレール９１の作用により、成形型５内にてその上端開口面よりも下方に位置している。【０１３４】
また、成形材料供給機構１２の凹部１２１の下方に、成形型５のキャビティ５１がもたらされている。これにより、凹部１２１内の成形材料がキャビティ５１内に落下し充填される。【０１３５】
その後、図５（ｃ）に示すように、キャビティ５１内の成形材料ｍの分量が行われ、キャビティ５１内への成形材料ｍの充填が完了する。【０１３６】
このとき、成形型５、上パンチ６２および下パンチ７２の軸線Ｚまわりの回転角度は、２５５°である。【０１３７】
また、下パンチ面７２１の下パンチ面７２１は、下型昇降機構９のガイドレール９１の作用により、所望の成形材料の分量に応じた高さ（上下方向での位置）となるように位置調整される。【０１３８】
［Ａ］下パンチ離型剤供給工程
上記工程［２］と同時に、図５（ｃ）に示すように、下パンチ離型剤保持部７２２に離型剤Ｌを供給する。【０１３９】
より具体的には、下パンチ離型剤保持部７２２をキャビティ５１の外側に露出させた状態で、ノズル２０１、２０２から離型剤Ｌを噴射することにより、下パンチ離型剤保持部７２２に離型剤Ｌを供給する。【０１４０】
このとき、本実施形態では、上記工程［２］において、下パンチ離型剤保持部７２２がキャビティ５１の下端から外側に露出している。【０１４１】
また、ノズル２０１、２０２の先端部は、下パンチ離型剤保持部７２２側を向いて、下パンチ７２を介して互いに対向するようにもたらされている。【０１４２】
このようなノズル２０１、２０２および下パンチ７２の配置のもとで、ノズル２０１、２０２から離型剤Ｌが噴射されることにより、下パンチ離型剤保持部７２２に離型剤が塗布される。【０１４３】
また、下パンチ離型剤保持部７２２への離型剤Ｌの塗布量は、下パンチ離型剤保持部７２２の形態によっても異なり、特に限定されないが、複数の凹部７２３の合計の容積とほぼ同じまたはそれ以上とするのが好ましい。これにより、下パンチ離型剤保持部７２２に離型剤を十分に保持でき、また、保持した離型剤をキャビティ５１の内周面に確実かつ均一に転写（塗布）させることができる。【０１４４】
［３］圧縮成形工程（［Ｄ］圧縮成形工程）
次に、キャビティ５１内に充填された成形材料ｍを上パンチ６２および下パンチ７２により圧縮成形する。【０１４５】
より具体的には、まず、図６（ａ）に示すように、上パンチ６２および下パンチ７２により予備的に加圧（予圧）する。【０１４６】
このとき、成形型５、上パンチ６２および下パンチ７２の軸線Ｚまわりの回転角度は、３１５°である。【０１４７】
また、上型６（上パンチ６２）および下型７（下パンチ７２）は、カム８３、９３の作用により、互いに接近する方向に押圧される。これにより、成形型５のキャビティ５１内の成形材料が予備的に圧縮成形（予圧）される。【０１４８】
その後、図６（ｂ）に示すように、上パンチ６２および下パンチ７２により上記の予圧よりも高い圧力で加圧（本圧）する。【０１４９】
このとき、成形型５、上パンチ６２および下パンチ７２の軸線Ｚまわりの回転角度は、３６０°（０°）である。【０１５０】
また、上型６（上パンチ６２）および下型７（下パンチ７２）は、カム８２、９２の作用により、互いに接近する方向にさらに押圧される。これにより、成形型５のキャビティ５１内の成形材料が最終的に圧縮成形（本圧）される。【０１５１】
本工程において、カム８２、９２による上パンチ面６２１および下パンチ面７２１の押圧力は、特に限定されないが、１５０〜１０００ＭＰａが好ましく、２５０〜７００ＭＰａがより好ましく、３００〜６００ＭＰａがさらに好ましい。【０１５２】
また、カム８２、９２による上パンチ面６２１および下パンチ面７２１の押圧時間は、特に限定されず、回転盤４に回転速度により調整することができる。【０１５３】
また、本工程の処理温度は、特に限定されないが、１５〜３０℃が好ましく、１８〜２８℃がより好ましく、２０〜２５℃がさらに好ましい。【０１５４】
以上のようにして、キャビティ５１内の成形材料ｍが上パンチ６２および下パンチ７２により圧縮成形される。これにより、成形体Ｍが得られる。【０１５５】
［４］成形体取出工程
次に、図６（ｃ）に示すように、成形体Ｍをキャビティ５１から取出す。【０１５６】
より具体的に説明すると、まず、上パンチ面６２１を取出ガイド１１の上端よりも上方に上昇させるとともに、下パンチ面７２１をキャビティ５１の上端開口面と一致するように上昇させる。【０１５７】
これにより、成形体Ｍがキャビティ５１の外部へ押し出される。
その状態で、回転盤４の回転に伴って、押し出された成形体Ｍが取出ガイド１１に当接し、回転盤４外の所定位置へ導かれる。
このようにして、成形体Ｍがキャビティ５１から取出される。【０１５８】
［Ｂ］転写工程
上記工程［４］と同時に、図６（ｃ）に示すように、下パンチ離型剤保持部７２２に保持された離型剤Ｌを、下パンチ７２の移動（上昇）に伴ってキャビティ５１の内周面に転写させる。【０１５９】
このとき、キャビティ５１内への成形材料の充填に先立ち、離型剤Ｌが塗布された下パンチ離型剤保持部７２２の上端がキャビティ５１の上端付近まで一時的に移動される。これにより、下パンチ離型剤保持部７２２に塗布された離型剤Ｌがキャビティ５１の内周面に転写される。【０１６０】
特に、取出ガイド１１の通過後、キャビティ５１内への成形材料の充填に先立ち、下パンチ離型剤保持部７２２の離型剤Ｌが塗布された領域の上端がキャビティ５１の上端付近まで一時的に移動されるのが好ましい。これにより、キャビティ５１内への成形材料の充填に先立って、キャビティ５１の内周面の上端部に離型剤Ｌをより確実に塗布することができる。また、上型離型剤塗布機構１０によるキャビティ５１の内周面への離型剤Ｌの塗布を省略することができる。この場合、前述した工程［１］において、上パンチ面６２１がキャビティ５１の上端開口面に一致していてもよいし、上パンチ面６２１がキャビティ５１の上端開口面よりも上方に位置していてもよい。【０１６１】
以上説明したようにして、成形体製造装置１（本発明の成形体の製造方法）は、成形体Ｍを製造することができる。【０１６２】
また、前述したような工程［１］〜［４］が順次繰り返されることで、成形体Ｍを連続的に製造することができる。なお、成形体Ｍを連続的に製造する場合、工程［１］や工程［Ａ］は、毎回行ってもよいし、数回（数回転）に１回行うようにしてもよい。【０１６３】
以上説明したような成形体製造装置１（本発明の成形体の製造方法）によれば、成形材料ｍの圧縮成形に先立って、キャビティ５１の内周面に対して離型剤Ｌを塗布することができる。そのため、キャビティ５１の内周面に対する成形材料ｍの付着または固着を防止することができる。その結果、得られる成形体Ｍを高品位なものとすることができる。【０１６４】
このようにして、本発明にかかる成形体製造装置１（本発明の成形体の製造方法）は、優れた生産性で高品質な成形体Ｍを得ることができる。【０１６５】
＜第２実施形態＞
次に、本発明の第２実施形態を説明する。
図７は、本発明の第２実施形態にかかる成形体製造装置の部分拡大断面図である。【０１６６】
以下、第２実施形態について、前述した第１実施形態との相違点を中心に説明し、同様の事項については、その説明を省略する。なお、図７では、前述した第１実施形態と同様の構成については、同一符号を付している。【０１６７】
本実施形態の成形体製造装置１Ａは、前述した第１実施形態の上型離型剤塗布機構１０および下型離型剤塗布機構２０に代えて、上型離型剤塗布機構（上パンチ離型剤供給手段）２０Ａを備えている。【０１６８】
この下型離型剤塗布機構２０Ａは、下パンチ離型剤保持部７２２がキャビティ５１の上端から外側（上端開口面から上方）に露出したときに、下パンチ離型剤保持部７２２に離型剤Ｌを供給するものである。【０１６９】
このような下型離型剤塗布機構（下パンチ離型剤供給手段）２０Ａは、図７に示すように、ノズル２０１Ａ、２０２Ａを備えている。【０１７０】
ノズル２０１Ａ、２０２Ａは、所定の回転角度（例えば１２０°）でキャビティ５１の上端開口面から上方に露出した下パンチ７２の先端部付近を介して互いに対応するように設けられている。なお、本実施形態では、上記所定の回転角度において、キャビティ５１の上端開口面から上方に露出するように、前述した第１実施形態の下型昇降機構９を調整すればよい。【０１７１】
このノズル２０１Ａの先端部（先端面）には、ノズル孔２０３が設けられ、また、ノズル２０２Ａの先端部（先端面）には、ノズル孔２０４とが設けられている。【０１７２】
このような下型離型剤塗布機構２０Ａによっても、キャビティ５１の内周面に離型剤Ｌを塗布することができる。【０１７３】
また、本実施形態では、前述した第１実施形態の上型離型剤塗布機構１０を省略しても、上パンチ面６２１、下パンチ面７２１およびキャビティ５１の内周面に離型剤を塗布することができる。そのため、成形体製造装置１Ａの低コスト化を図ることができる。【０１７４】
また、下型離型剤塗布機構２０Ａは、上パンチ６２に離型剤Ｌを塗布する機能を有する。これにより、上パンチ６２に対する成形材料の付着または固着を防止することができる。【０１７５】
特に、下型離型剤塗布機構２０Ａは、上パンチ面６２１および下パンチ面７２１にそれぞれ離型剤Ｌを塗布する機能を有する。これにより、上パンチ面６２１および下パンチ面７２１に対する成形材料ｍの付着または固着を防止することができる。その結果、得られる成形体を高品位なものとすることができる。【０１７６】
以上説明したような第２実施形態にかかる成形体製造装置１Ａによっても、前述した第１実施形態の成形体製造装置１と同様の効果を発揮することができる。【０１７７】
＜第３実施形態＞
図８は、本発明の第３実施形態にかかる成形体製造装置の部分拡大断面図である。【０１７８】
以下、第３実施形態について、前述した第１実施形態との相違点を中心に説明し、同様の事項については、その説明を省略する。なお、図８では、前述した第１実施形態と同様の構成については、同一符号を付している。【０１７９】
本実施形態の成形体製造装置１Ｂは、上パンチ６２Ｂおよび下パンチ７２Ｂを備えている。【０１８０】
上パンチ６２Ｂは、上パンチ面６２１に対して上側に設けられ、離型剤Ｌを保持し得る上パンチ離型剤保持部６２２を備えている。【０１８１】
この上パンチ離型剤保持部６２２は、複数の凹部６２５を備えている。このような上パンチ離型剤保持部６２２は、上パンチ６２Ｂの移動（本実施形態では下降）に伴ってキャビティ５１内を移動することにより、保持した離型剤Ｌをキャビティ５１の内周面に転写することができる。これにより、キャビティ５１の内周面の上端部に離型剤Ｌをより確実に塗布することができる。【０１８２】
本実施形態では、各凹部６２５は、平面視にて円形状をなし、複数の凹部６２５は、上パンチ６２Ｂの側面に点在している。【０１８３】
また、各凹部６２５の横断面は、開口側から底部側へ向けて幅が一定であってもよいし、開口側から底部側へ向けて幅が狭くなるような三角形状や半円状等をなすものであってもよい。【０１８４】
このような上パンチ離型剤保持部６２２は、例えば、前述した第１実施形態の上型離型剤塗布機構１０によって離型剤が塗布される。【０１８５】
また、下パンチ７２Ｂは、下パンチ面７２１に対して上側に設けられ、離型剤Ｌを保持し得る下パンチ離型剤保持部７２２Ｂを備えている。【０１８６】
この下パンチ離型剤保持部７２２Ｂは、複数の凹部７２５を備えている。このような下パンチ離型剤保持部７２２Ｂは、前述した第１実施形態の下パンチ離型剤保持部７２２と同様、下パンチ７２Ｂの移動（本実施形態では上降）に伴ってキャビティ５１内を移動することにより、保持した離型剤Ｌをキャビティ５１の内周面に転写することができる。【０１８７】
本実施形態では、各凹部７２５は、前述した上パンチ離型剤保持部６２２の各凹部６２５と同様に構成されている。【０１８８】
このような下パンチ離型剤保持部７２２Ｂは、前述した第１実施形態と同様の下型離型剤塗布機構２０によって離型剤が塗布される。【０１８９】
以上説明したような第３実施形態にかかる成形体製造装置１Ｂによっても、前述した第１実施形態の成形体製造装置１と同様の効果を発揮することができる。【０１９０】
以上、本発明の成形体清掃装置、成形体の製造方法および成形体を図示の実施形態について説明したが、本発明は、これに限定されるものではなく、成形体製造装置等を構成する各部は、同様の機能を発揮し得る任意の構成のものと置換することができる。また、任意の構成物が付加されていてもよい。【０１９１】
例えば、前述した各実施形態の構成を互いに組み合わせてもよい。
例えば、前述した実施形態では、下パンチ離型剤保持部が凹部および凸部を含んで構成されている場合を例に説明したが、凹部や凸部の形状は、離型剤を保持し得るとともに、必要時にキャビティの内周面に転写することができるものであれば、前述した実施形態のものに限定されない。【０１９２】
例えば、下パンチ離型剤保持部は、サンドブラスト等により下パンチの側面を粗面加工することで下パンチ離型剤保持部を構成してもよい。【０１９３】
また、下パンチ離型剤保持部は、凹部および凸部を含むものに限定されず、例えば、離型剤に対する親液性を向上させる処理を下パンチの側面に施すことで下パンチ離型剤保持部を構成してもよい。【０１９４】
また、前述した実施形態では、離型剤を噴射（噴霧）することにより下パンチ離型剤保持部に塗布するものについて説明したが、下パンチ離型剤保持部への離型剤塗布方法は、これに限定されず、例えば、ディッピングのような方法、刷毛、ローラ等を用いた塗布方法等を用いてもよい。
【産業上の利用可能性】
【０１９５】
本発明の成形体製造装置は、成形材料を圧縮成形することにより成形体を製造する。特に、本発明の成形体製造装置は、前記成形材料が充填される上下方向に開口するキャビティを備える成形型と、前記キャビティ内にその下端側から挿入される下パンチ面と、該下パンチ面に対して下側に設けられ、離型剤を保持し得る下パンチ離型剤保持部とを備える上下方向に移動可能な下パンチと、前記キャビティ内にその上端側から挿入される上パンチ面を備える上下方向に移動可能な上パンチと、前記下パンチ離型剤保持部が前記キャビティの外側に露出したときに、前記下パンチ離型剤保持部に離型剤を供給する下パンチ離型剤供給手段とを有する。これにより、キャビティの内周面に離型剤を塗布することができる。そのため、キャビティの内周面に対する成形材料の付着または固着を防止することができる。その結果、得られる成形体を高品位なものとすることができる。したがって、産業上の利用可能性を有する。
【図１】
2011024567.tif 000003
【図２】
2011024567.tif 000004
【図３】
2011024567.tif 000005
【図４】
2011024567.tif 000006
【図５】
2011024567.tif 000007
【図６】
2011024567.tif 000008
【図７】
2011024567.tif 000009
【図８】
2011024567.tif 000010
【国際調査報告】
2011024567.tif 000011
2011024567.tif 000012
2011024567.tif 000013
2011024567.tif 000014